【手続補正書】
【提出日】平成26年11月11日(2014.11.11)
【手続補正１】
【補正対象書類名】特許請求の範囲
【補正対象項目名】全文
【補正方法】変更
【補正の内容】
【特許請求の範囲】
【請求項１】
高い損傷閾値を有するレーザ周波数変換のための装置であって、
基本波長のレーザ光を発生させるように構成される基本レーザ光源と、
前記基本レーザ光源から基本レーザ光を受光するように構成される第１の非線形光学結晶であり、受光した前記基本レーザ光の少なくとも一部を第１の第二次波長の光に周波数変換することによって第１の第二次波長の光を発生させるように構成される第１の非線形光学結晶と、
前記第１の非線形光学結晶から第１の第二次波長の光を受光するように構成される第２の非線形光学結晶であり、受光した前記第１の第二次波長の光の少なくとも一部を第２の第二次波長の光に周波数変換することによって第２の第二次波長の光を発生させるように構成される第２の非線形光学結晶と、
前記第２の非線形光学結晶から出る第１の第二次波長の光及び第２の第二次波長の光を受光するように構成される二波長ブリュースター角波長板であり、前記第１の第二次波長の光と前記第２の第二次波長の光が実質的に同じ偏向を有するように前記第１の第二次波長の光の偏向を前記第２の第二次波長の光に対して回転させるようにさらに構成される二波長ブリュースター角波長板と、
前記二波長ブリュースター角波長板から第１の第二次波長の光及び第２の第二次波長の光を受光するように構成される一組のブリュースター角波面処理光学系であり、前記二波長ブリュースター角波長板から出る前記第１の第二次波長の光と前記第２の第二次波長の光を調整するようにさらに構成される一組のブリュースター角波面処理光学系と、
前記一組のブリュースター角波面処理光学系から第１の第二次波長の光及び第２の第二次波長の光を受光するように構成される高調波セパレータであり、前記第１の第二次波長の光を前記第２の第二次波長の光から少なくとも部分的に分離するように構成される高調波セパレータと、
を備える装置。
【請求項２】
前記第１の非線形光学結晶が第２の高調波発生のために構成される、請求項１に記載の装置。
【請求項３】
前記第２の非線形光学結晶が第２の高調波発生のために構成される、請求項１に記載の装置。
【請求項４】
前記第２の非線形光学結晶から第２の第二次波長の光を受光するように構成される付加的な非線形光学結晶であり、受光した前記第２の第二次波長の光の少なくとも一部を付加的な第二次波長の光に周波数変換することによって第二次波長の光を発生させるように構成される付加的な非線形光学結晶、
をさらに備える、請求項１に記載の装置。
【請求項５】
前記基本光を前記第１の第二次光から分離するように構成される１つ又は複数のダイクロイック高調波分離要素であり、前記第１の第二次光の少なくとも一部を前記第２の非線形光学結晶に誘導するように構成される１つ又は複数のダイクロイック高調波分離要素、
をさらに備える、請求項１に記載の装置。
【請求項６】
前記二波長ブリュースター角波長板が複屈折板を含む、請求項１に記載の装置。
【請求項７】
前記二波長ブリュースター角波長板が第１の複屈折板及び第２の複屈折板を含む、請求項１に記載の装置。
【請求項８】
前記二波長ブリュースター角波長板が、結晶石英複屈折板、フッ化マグネシウム複屈折板、サファイア複屈折板、ニオブ酸リチウム複屈折板、又はルチル複屈折板のうちの少なくとも１つを含む少なくとも１つの複屈折板を含む、請求項１に記載の装置。
【請求項９】
前記二波長ブリュースター角波長板が前記波長板の平面内に光軸を有する波長板を含む、請求項１に記載の装置。
【請求項１０】
前記二波長ブリュースター角波長板が前記波長板の平面外に光軸を有する波長板を含む、請求項１に記載の装置。
【請求項１１】
前記二波長ブリュースター角波長板が、前記第１の第二次波長の光に関する半波リターダであり且つ前記第２の第二次波長の光に関する全波リターダである、請求項１に記載の装置。
【請求項１２】
前記二波長ブリュースター角波長板が、前記第１の第二次波長の光に関する全波リターダであり且つ前記第２の第二次波長の光に関する半波リターダである、請求項１に記載の装置。
【請求項１３】
前記二波長ブリュースター角波長板が、前記第１の第二次波長の光に関する半波リターダであり且つ前記第２の第二次波長の光に関する半波リターダである、請求項１に記載の装置。
【請求項１４】
前記一組のブリュースター角波面処理光学系が少なくとも１つのレンズを含む、請求項１に記載の装置。
【請求項１５】
前記少なくとも１つのレンズが少なくとも１つの溶融石英レンズ又は少なくとも１つのフッ化カルシウムレンズを含む、請求項１４に記載の装置。
【請求項１６】
前記一組のブリュースター角波面処理光学系が第１のレンズ及び第２のレンズを含む、請求項１に記載の装置。
【請求項１７】
前記第１のレンズの表面又は前記第２のレンズの表面が円筒形の表面を含む、請求項１６に記載の装置。
【請求項１８】
前記一組のブリュースター角波面処理光学系が、前記二波長ブリュースター角波長板から出る前記第１の第二次波長の光又は前記第２の第二次波長の光のうちの少なくとも１つにおける非点収差を調節するために前記第１のレンズと前記第２のレンズとの間の分離を調節するように構成される、請求項１６に記載の装置。
【請求項１９】
前記一組のブリュースター角波面処理光学系が、前記二波長ブリュースター角波長板から出る前記第１の第二次波長の光又は前記第２の第二次波長の光のうちの少なくとも１つにおける非点収差を補正するように構成される、請求項１に記載の装置。
【請求項２０】
前記一組のブリュースター角波面処理光学系が、前記二波長ブリュースター角波長板から出る前記第１の第二次波長の光又は前記第２の第二次波長の光のうちの少なくとも１つを合焦するように構成される、請求項１に記載の装置。
【請求項２１】
前記一組のブリュースター角波面処理光学系が、前記二波長ブリュースター角波長板から出る前記第１の第二次波長の光又は前記第２の第二次波長の光のうちの少なくとも１つを平行にするように構成される、請求項１に記載の装置。
【請求項２２】
前記一組のブリュースター角波面処理光学系が、前記二波長ブリュースター角波長板から出る前記第１の第二次波長の光又は前記第２の第二次波長の光のうちの少なくとも１つにおける収差の影響を補正するように構成される、請求項１に記載の装置。
【請求項２３】
前記高調波セパレータが高調波分離要素を含み、前記高調波分離要素が、第１のブリュースター角表面、内部全反射（ＴＩＲ）表面、及び第２のブリュースター角表面を有し、前記ＴＩＲ表面が前記第１のブリュースター角表面と前記第２のブリュースター角表面との間にある、請求項１に記載の装置。
【請求項２４】
前記ＴＩＲ表面が湾曲したＴＩＲ表面を含み、前記湾曲したＴＩＲ表面が前記ＴＩＲ表面から反射された光を合焦するように構成される、請求項２３に記載の装置。
【請求項２５】
前記ＴＩＲ表面の湾曲によってもたらされる収差を補償するために前記第１のブリュースター角表面又は前記第２のブリュースター角表面のうちの少なくとも１つが湾曲される、請求項２３に記載の装置。
【請求項２６】
前記ＴＩＲ表面の湾曲によってもたらされる収差を補償するように構成される付加的なブリュースター角要素をさらに備える、請求項２３に記載の装置。
【請求項２７】
少なくとも１つのレンズが、少なくとも１つの溶融石英レンズ又は少なくとも１つのフッ化カルシウムレンズを含む、請求項２３に記載の装置。
【請求項２８】
前記高調波セパレータが第１の高調波分離要素及び第２の高調波分離要素を含む、請求項１に記載の装置。
【請求項２９】
前記高調波セパレータが高調波分離要素及びブリュースター角要素を含み、前記ブリュースター角要素が、第１の高調波分離要素から第１の波長の光及び第２の波長の光を受光するように構成される、請求項１に記載の装置。
【請求項３０】
高い損傷閾値を有するレーザ周波数変換のための装置であって、
基本波長のレーザ光を発生させるように構成される基本レーザ光源と、
受光したレーザ光の少なくとも一部を第二次波長の光に周波数変換することによって第二次波長の光を発生させるように構成される少なくとも１つの非線形光学結晶と、
前記少なくとも１つの非線形光学結晶から出る基本波長の光及び第二次波長の光を受光するように構成される二波長ブリュースター角波長板であり、前記基本波長の光と前記第二次波長の光が実質的に同じ偏向を有するように前記基本波長の光の偏向を前記第二次波長の光に対して回転させるようにさらに構成される二波長ブリュースター角波長板と、
前記二波長ブリュースター角波長板から基本波長の光及び第二次波長の光を受光するように構成される一組のブリュースター角波面処理光学系であり、前記二波長ブリュースター角波長板から出る前記基本波長の光及び前記第二次波長の光を調整するようにさらに構成される一組のブリュースター角波面処理光学系と、
前記一組のブリュースター角波面処理光学系から基本波長の光及び第二次波長の光を受光するように構成される高調波セパレータであり、前記基本波長の光を前記第二次波長の光から少なくとも部分的に分離するように構成される高調波セパレータと、
を備える装置。
【請求項３１】
高い損傷閾値をもつレーザ周波数変換のための方法であって、
基本レーザ光源を提供すること、
前記基本レーザ光源を使用して基本波長のレーザ光を発生させること、
第１の非線形光学結晶を使用して前記基本レーザ光の少なくとも一部を第１の第二次波長の光に周波数変換することによって第１の第二次波長の光を発生させること、
第２の非線形光学結晶を使用して前記第１の第二次波長の光の少なくとも一部を第２の第二次波長の光に周波数変換することによって第２の第二次波長の光を発生させること、
二波長ブリュースター角波長板を用いて前記第１の第二次波長の光の偏向と前記第２の第二次波長の光の偏向が実質的に同じであるように前記第１の第二次波長の光の偏向を前記第２の第二次波長の光に対して回転させること、
ブリュースター角波面処理光学系を使用して前記第１の第二次波長の光及び前記第２の第二次波長の光を調整すること、
第１のブリュースター角表面、内部全反射表面、及び第２のブリュースター角表面を有する高調波分離要素を含む高調波セパレータを使用して前記第１の第二次波長の光の少なくとも一部を前記第２の第二次波長の光から分離すること、
を含む方法。